(57)【要約】円筒形の照明固定具に収容される電力変圧器のための変圧器コア部分が提供される。電力変圧器は、第１および第２コア部分を含む変圧器コア部分を含む。第１および第２コア部分の各々は、略半円筒形の上面と、ワイヤ巻きボビンを収容するための内部空間とを含む。電力変圧器は、さらに、第１および第２コア部分に収容されるボビンベースを含む。【選択図】  図１Ｂ
2014502058.tif 000002
【特許請求の範囲】
【請求項１】
第１および第２コア部分を含む変圧器コア部分であって、前記第１および第２コア部分の各々が、略半円筒形の上面と、ワイヤ巻きボビンを収容するための内部空間とを含む、変圧器コア部分と、
前記第１および第２コア部分に収容されるボビンベースと、
を備える、照明固定具用の電力変圧器。
【請求項２】
前記変圧器コア部分は、磁気フェライトで構成される、請求項１に記載の電力変圧器。
【請求項３】
前記変圧器コア部分は、管形の照明固定具に嵌着するサイズである、請求項１または２に記載の電力変圧器。
【請求項４】
管形の前記照明固定具は、Ｔ８照明固定管である、請求項１から３のいずれか一項に記載の電力変圧器。
【請求項５】
前記半円筒形の上面は、前記管形の照明固定具で利用可能な最大量の空間を使用するサイズである、請求項３または４に記載の電力変圧器。
【請求項６】
前記ボビンベースは、前記ボビンベースの両端部にあるボビンレールを含み、各ボビンレールは、前記変圧器コア部分に収容されるワイヤをプリント回路基板に電気接続するための１本以上のピンを含む、請求項１から５のいずれか一項に記載の電力変圧器。
【請求項７】
巻線ワイヤが前記ボビンベースに巻き付くようにするために、前記変圧器コア部分の内部空間に通じる巻線チャネルが、前記第１および第２コア部分と前記ボビンベースの底面との間に形成される、請求項１から６のいずれか一項に記載の電力変圧器。
【請求項８】
前記第１および第２コア部分の各々は、前記内部空間において前記第１または第２コア部分の第１端面から前記第１または第２コア部分の第２端面の近くまで延在する略半円筒形の突出部を含む、請求項１から７のいずれか一項に記載の電力変圧器。
【請求項９】
前記ボビンベースは、略半円筒形の上面と、前記ボビンベースの両側の略半リング形の側面と、略平坦な底面とを含む、請求項１から８のいずれか一項に記載の電力変圧器。
【請求項１０】
前記ボビンベースの前記上面および前記底面が、前記ボビンベースの両端部に形成される開口部を備える中空内部を画定する、請求項９に記載の電力変圧器。
【請求項１１】
前記開口部は、前記第１および第２コア部分の突出部が前記中空内部へ摺動することを可能にする、請求項１０に記載の電力変圧器。
【請求項１２】
前記変圧器コア部分は、はんだ接合作業のピックアンドプレイスのために構成された平坦な上面を備えるサイズである、請求項１から１１のいずれか一項に記載の電力変圧器。
【発明の詳細な説明】
【技術分野】
【０００１】
（関連出願の相互参照）
本出願は、Ｗｕｒｔｈ  Ｅｌｅｃｔｒｏｎｉｃｓ  Ｍｉｄｃｏｍ，Ｉｎｃ．の名でＰＣＴ国際出願として出願されたものであり、２０１１年１月７日に出願された「変圧器コア」という名称の中国特許出願第２０１１１０００２７１４．２号の優先権を主張する。
【０００２】
本発明は、電気変圧器の分野に関連する。より詳しくは、本発明は、円筒管に収容され得る電力変圧器に関連する。
【背景技術】
【０００３】
従来の蛍光管照明固定具において、高電圧の電力変圧器を用いることは周知である。一般的に、標準的なＴ８  ＬＥＤ管照明は、標準的なＥＥ型電力変圧器を使用して、固定具を点灯させるのに必要な電圧を提供する。
【０００４】
図５Ａおよび５Ｂは、照明固定具の円筒管６０５の内部でプリント回路基板（ＰＣＢ）の上に配置された従来のＥＥ型電力変圧器コア５０５に収容される電力変圧器５００の断面図および側面図を示す。この実施形態では、管６０５は円筒形のＴ８管である。図５Ａおよび５Ｂに示されているように、従来の電力変圧器５００の形状では、管６０５で利用可能な空間を最大にすることができず、電力変圧器５００の電力操作特性が制限されている。
【発明の概要】
【発明が解決しようとする課題】
【０００５】
本出願は、電力変圧器を説明する。特に、ここに提示される実施形態は、円筒管に収容され得る電力変圧器を対象としている。
【０００６】
本実施形態は、最高の電力操作特性を得るために円筒管の内側の利用可能容積を最大化することができる変圧器コア部分を提供する。特に、例えば電力変圧器が嵌着する照明管で利用可能な最大量の空間を使用するために、略半円筒形構造となるように変圧器コア部分が形成される。いくつかの実施形態では、Ｔ８照明管で利用可能な最大量の空間を使用するために、略半円筒形構造となるように変圧器コア部分が形成される。
【課題を解決するための手段】
【０００７】
したがって、一実施形態では、照明固定具用の電力変圧器が提供される。電力変圧器は、第１および第２コア部分を含む変圧器コア部分を含む。第１および第２コア部分の各々は、略半円筒形の上面と、ワイヤ巻きボビンを収容するための内部空間とを含む。電力変圧器は、さらに、第１および第２コア部分に収容されるボビンベースを含む。
【０００８】
いくつかの実施形態では、変圧器コア部分は磁気フェライトで構成される。
【０００９】
いくつかの実施形態では、変圧器コア部分は管形の照明固定具に嵌着するサイズである。
【００１０】
いくつかの実施形態では、変圧器コア部分はＴ８管形状の照明固定具に嵌着するサイズである。
【００１１】
いくつかの実施形態では、ボビンベースはボビンベースの両端部にあるボビンレールを含み、各ボビンレールは、変圧器コア部分に収容されるワイヤをプリント回路基板に電気接続するための１本以上のピンを含む。
【００１２】
いくつかの実施形態において、半円筒形の上面は、円筒形の照明固定具で利用可能な最大量の空間を使用するサイズである。
【００１３】
いくつかの実施形態では、ボビンベースの上面および底面に巻線ワイヤが巻き付くようにするため、変圧器コア部分の内部空間に通じる巻線チャネルが、第１および第２コア部分の底面とボビンベースの底面との間に形成される。
【００１４】
いくつかの実施形態では、第１および第２コア部分の各々は、内部空間において第１または第２コア部分の第１端面から第１または第２コア部分の第２端面の近くまで延在する略半円筒形の突出部を含む。
【００１５】
いくつかの実施形態では、ボビンベースは、略半円筒形の上面と、略半リング形の側面と、略平坦な底面とを含む。
【００１６】
いくつかの実施形態では、ボビンベースの上面および底面は、ボビンベースの両端部に形成される開口部を備える中空内部を画定する。
【００１７】
いくつかの実施形態では、開口部が変圧器コア部分の突出部を中空内部へ摺動させる。
【００１８】
いくつかの実施形態において、変圧器コア部分は、はんだ接合作業のピックアンドプレイスを可能にする平坦上面部分を備えるサイズである。
【図面の簡単な説明】
【００１９】
【図１Ａ】一実施形態に係る電力変圧器の上面斜視図である。
【図１Ｂ】一実施形態に係る電力変圧器の底面斜視図である。
【図１Ｃ】一実施形態に係る電力変圧器の上面図である。
【図１Ｄ】一実施形態に係る電力変圧器の底面図である。
【図１Ｅ】一実施形態に係る電力変圧器の端面図である。
【図２Ａ】一実施形態に係る電力変圧器の変圧器コア部分の上面斜視図である。
【図２Ｂ】一実施形態に係る電力変圧器の変圧器コア部分の底面斜視図である。
【図２Ｃ】一実施形態に係る電力変圧器の変圧器コア部分の底面図である。
【図２Ｄ】一実施形態に係る電力変圧器の変圧器コア部分の端面図である。
【図３Ａ】一実施形態に係る電力変圧器のボビンベースの上面斜視図である。
【図３Ｂ】一実施形態に係る電力変圧器のボビンベースの底面図である。
【図３Ｃ】一実施形態に係る電力変圧器のボビンベースの側面図である。
【図３Ｄ】一実施形態に係る電力変圧器のボビンベースの端面図である。
【図４Ａ】一実施形態に係る、円筒形の照明固定具に収容された電力変圧器の断面図である。
【図４Ｂ】一実施形態に係る、円筒形の照明固定具に収容された電力変圧器の側面図である。
【図５Ａ】円筒形の照明固定具内部の従来のＥＥ型電力変圧器の断面図である。
【図５Ｂ】円筒形の照明固定具内部の従来のＥＥ型電力変圧器の側面図である。
【図６】別の実施形態に係る電力変圧器の上面斜視図である。
【発明を実施するための形態】
【００２０】
ここに提示される実施形態は、電力変圧器を対象としている。特に、本実施形態は、円筒管に収容される電力変圧器を提供する。
【００２１】
本実施形態は、最高の電力操作特性を得るため、円筒管の内側の有効容積を最大化することのできる電力変圧器を提供する。特に、電力変圧器の変圧器コア部分に嵌着するワイヤ巻きボビンに利用可能な最大量の空間を使用するため、電力変圧器が略半円筒形の構造で形成される。
【００２２】
図１Ａから図１Ｅは、一実施形態に係る電力変圧器１００の種々の図を示す。電力変圧器１００は、変圧器コア部分１１０とボビンベース１２０（図１Ｂに図示）とを含む。この実施形態では、変圧器コア部分１１０は、マグネシウム亜鉛（ＭｇＺｎ）原材料で構成される磁気フェライトコアである。図１Ａに示されているように、変圧器コア部分１１０は二つのコア部分１１５（つまり第１および第２コア部分）から成る。コア部分１１５の各々は、略半円筒形の上面１１７と略半円形の端面１１９とを含む。図１Ｂに示されているように、巻線ワイヤがボビン（不図示）に巻き付くようにするため変圧器コア部分１１０の内部空間に通じる巻線チャネル１１２が、コア部分１１５の底面１１８とボビンベース１２０の底面１２２との間に形成されている。また、いくつかの実施形態では、底面１２２は平坦である。
【００２３】
ボビンベース１２０は、ボビンベース１２０の両端部にボビンレール１３０を含む。ボビンレール１３０は、電力変圧器の巻線ワイヤをＰＣＢ（不図示）に電気接続するためボビンレール１３０から下方に延出する直角ピン１３５を含む。
【００２４】
電力変圧器１００は、ＰＣＢ（不図示）の上に配置されて円筒管に収容されるように設計される。この実施形態では、電力変圧器１００の形状は、標準的な円筒形のＴ８照明固定管に収容されるように構成されている。この実施形態では、一端部のピン１３５から他端部のピン１３５までの電力変圧器１００の最大長Ｌは、約４５．７２ｍｍである（図１Ｃ参照）。また、電力変圧器１００の両側の間の最大幅Ｗは、約２２．５ｍｍである（図１Ｃ参照）。ボビンベース１２０のボビンレール１３０の底面から上面１１７の最高点までの電力変圧器１００の最大高Ｈ１は、約１２ｍｍである（図１Ｅ参照）。また、電力変圧器１００の一端部では、ピン１３５の高さＨ２は約３ｍｍであり（図１Ｅ参照）、電力変圧器１００の反対端部でのピン１３５の高さは約４ｍｍである（不図示）。他の実施形態では、電力変圧器１００の形状および寸法は、例えばＴ１０照明固定管、Ｔ１２照明固定管などに収容されるように構成され得る。
【００２５】
図２Ａから図２Ｄは、一実施形態に係る、図１Ａから図１Ｅに示された電力変圧器１００などの電力変圧器のための変圧器コア部分２００の種々の図をそれぞれ示す。変圧器コア部分２００は、略半円筒形の上面２０５と、変圧器コア部分２００の第１端部２０２に配置された略半円形の第１端面２１０と、変圧器コア部分２００の第２端部２０４に配置された略半リング形の第２端面２１５と、底面２２０とを含む。変圧器コア部分２００は、さらに、変圧器コア部分２００の内部空間２２５において第１端面２１０から第２端部２０４の近くまで延在する略半円筒形の突出部２３０を含む。突出部２３０は、電力変圧器１００のボビンベース１２０など、電力変圧器のボビンベース（不図示）のバレル開口部に嵌着するように設計されている。変圧器コア部分２００の内部空間２２５は、電力変圧器の中でボビンベース（不図示）に利用可能な空間の量を最大にするように設計されている。
【００２６】
この実施形態では、図１Ａから図１Ｅに示された電力変圧器１００などの標準的な円筒形のＴ８照明固定管に電力変圧器コア部分が収容されるように、変圧器コア部分２００の形状が構成される。この実施形態では、変圧器コア部分２００の第１端部２０２から第２端部２０４までの最大長ＬＡは約１７．２ｍｍであり、変圧器コア部分２００内の内部空間２２５の最大長ＬＢは約１４．２ｍｍである（図２Ｃ参照）。図２Ｄに示されているように、変圧器コア部分２００の最大高ＨＡは約８．４ｍｍであり、突出部２３０の最大高ＨＢは約４．４ｍｍである。また、変圧器コア部分２００の最大幅ＷＡは約２０．３ｍｍであり、底面２２０の近傍での内部空間の幅ＷＢは約２．５ｍｍであり、第２端部２０４での突出部２３０の最大幅ＷＣは約１２．２ｍｍであり、底面２２０の近傍での第１端面２１０の幅ＷＤは約１．５５ｍｍである。他の実施形態では、変圧器コア部分２００の形状および寸法は、Ｔ１０照明固定管、Ｔ１２照明固定管などに電力変圧器が収容されるように構成され得る。
【００２７】
図３Ａから図３Ｄは、一実施形態に係る電力変圧器のためのボビンベース３００の種々の図を示す。ボビンベース３００は、略半円筒形の上面３０５と、ボビンベース３００の各端部に配置された略半リング形の側面３１０と、略平坦な底面３３０（図３Ｂ参照）とを含む。ボビンベース３００の上面３０５および底面３３０は、ボビンベース３００の両端部３０２，３０４に形成されるバレル開口部３１５を備える中空内部を画定する。変圧器コア部分の突出部が中空内部へ摺動することにより両端部３０２，３０４の各々でボビンベース３００を変圧器コア部分に装着できるように、バレル開口部３１５は、変圧器コア部分の突出部と同じ形となるように設計されている（変圧器コア部分２００の突出部２３０など）。また、両端部３０２，３０４の近傍では、ボビンベース３００（図３Ｂおよび図３Ｃ参照）の底面３３０の両端部に、ピン３２５を備える一対のピンレール３２０が装着されている。
【００２８】
この実施形態では、図１Ａから図１Ｅに示された電力変圧器１００などの電力変圧器が標準的な円筒形のＴ８照明固定管に収容されて、図２Ａから図２Ｄに示された変圧器コア部分２００などの変圧器コア部分をボビンベース３００の両端部３０２，３０４に装着できるように、ボビンベース３００の形状が構成される。つまり、バレル開口部３１５は、変圧器コア部分２００の突出部２３０がボビンベース３００の中空内部へ摺動して、変圧器コア部分２００の第２端面２１５がボビンベース３００の側面３１０へ摺動するようなサイズを有している。他の実施形態では、ボビンベース３００の形状および寸法は、Ｔ１０照明固定管やＴ１２照明固定管などに電力変圧器が収容されるように構成され得る。
【００２９】
図４Ａおよび図４Ｂは、一実施形態に係る、円筒形照明固定具４００に収容される電力変圧器１００（図１Ａおよび図１Ｂに図示）の断面図および側面図を示す。照明固定具４００は、管４０５と、管４０５に収容されるＰＣＢ４１０とを含む。
【００３０】
この実施形態では、管４０５は円筒形のＴ８管である。他の実施形態では、管４０５は、例えばＴ１０またはＴ１２管を含むいかなるサイズの管でもあり得る。
【００３１】
図４Ａおよび図４Ｂに示されているように、電力変圧器１００、特に、コアハウジング１１０は、管４０５で利用可能な最大空間を使用する形状を有する。電力変圧器では、変圧器コア部分の容積サイズは電力操作に直接的な影響を与える。他のすべてが等しいならば、質量の大きな変圧器コア部分が、高い電力操作特性を備える電力変圧器をもたらす。したがって、（図５Ａおよび図５Ｂに示されているような）標準的なＥＥ型電力変圧器とは逆に、電力変圧器１００は、電力操作特性を最高にするため管４０５で利用可能なすべての面積を使用するように設計されている。
【００３２】
電力変圧器１００は、ボビンレール１３０がＰＣＢ４１０に隣接し、ピン１３５がＰＣＢ４１０に接続されるように、ＰＣＢ４１０に配置される。
【００３３】
図６は、別の実施形態に係る電力変圧器６００の上面斜視図を示す。電力変圧器６００は図１Ａから図１Ｅに示された電力変圧器１００に類似しており、変圧器コア部分６１０とボビンベース（不図示）とを含む。変圧器コア部分６１０は、マグネシウム亜鉛（ＭｇＺｎ）原材料で構成される磁気フェライトコアである。
【００３４】
図６に示されているように、変圧器コア部分６１０は二つのコア部分６１５（つまり第１および第２コア部分）から成る。コア部分６１５の各々は、略半円筒形の上面部分６１７と平坦な上面部分６５０と略半円形の端面６１９とを含む。平坦上面部分６５０は、電力変圧器６００におけるはんだ接合作業のピックアンドプレイスを可能にする平坦面となる。
【００３５】
巻線ワイヤをボビン（不図示）に巻き付けるために、変圧器コア部分６１０の内部空間に通じる巻線チャネル１１２などの巻線チャネルが、コア部分６１５の底面とボビンベースの底面との間に形成され得る。また、いくつかの実施形態では、底面は平坦であり得る。
【００３６】
ボビンベースは、ボビンベースの両端部のボビンレール６３０を含む。ボビンレール６３０は、電力変圧器の巻線ワイヤをＰＣＢ（不図示）に電気接続するため、ボビンレール６３０から略直線方向に延出する直線ピン６３５を含む。
【００３７】
電力変圧器６００は、ＰＣＢ（不図示）の上に配置されて円筒管に収容されるように設計されている。この実施形態では、電力変圧器６００の形状は、標準的な円筒形のＴ８照明固定管に収容されるように構成されている。この実施形態では、一端部のピン６３５から他端部のピン６３５までの電力変圧器６００の最大長Ｌは、約３６．５０ｍｍである。また、電力変圧器６００の両側の間の最大幅Ｗは、約１８．８ｍｍである。ボビンベースのボビンレール６３０の底面から平坦上面部分６５０等の最高点までの電力変圧器６００の最大高Ｈ１は、約１２ｍｍである。他の実施形態では、電力変圧器６００の形状および寸法は、Ｔ１０照明固定管、Ｔ１２照明固定管などに収容されるように構成され得る。
【００３８】
（態様）
１．第１および第２コア部分を含む変圧器コア部分であって、第１および第２コア部分の各々が、略半円筒形の上面と、ワイヤ巻きボビンを収容するための内部空間とを含む、変圧器コア部分と、
第１および第２コア部分の中に収容されるボビンベースと、
を備える、照明固定具用の電力変圧器。
【００３９】
２．変圧器コア部分は、磁気フェライトで構成される、態様１の電力変圧器。
【００４０】
３．変圧器コア部分は、管形の照明固定具に嵌着するサイズである、態様１または２の電力変圧器。
【００４１】
４．管形の照明固定具は、Ｔ８照明固定管である、態様１から３のいずれかの電力変圧器。
【００４２】
５．半円筒形の上面は、管形の照明固定具で利用可能な最大量の空間を使用するサイズである、態様３または４の電力変圧器。
【００４３】
６．ボビンベースは、ボビンベースの両端部にあるボビンレールを含み、各ボビンレールは、変圧器コア部分に収容されるワイヤをプリント回路基板に電気接続するための１本以上のピンを含む、態様１から５のいずれかの電力変圧器。
【００４４】
７．巻線ワイヤがボビンベースに巻き付くようにするために、変圧器コア部分の内部空間に通じる巻線チャネルが、第１コア部分および第２コア部分とボビンベースの底面との間に形成される、態様１から６のいずれかの電力変圧器。
【００４５】
８．第１および第２コア部分の各々は、内部空間において第１または第２コア部分の第１端面から第１または第２コア部分の第２端面の近くまで延在する略半円筒形の突出部を含む、態様１から７のいずれかの電力変圧器。
【００４６】
９．ボビンベースは、略半円筒形の上面と、ボビンベースの両側の略半リング形の側面と、略平坦な底面とを含む、態様１から８のいずれかの電力変圧器。
【００４７】
１０．ボビンベースの上面および底面が、ボビンベースの両端部に形成される開口部を備える中空内部を画定する、態様９の電力変圧器。
【００４８】
１１．開口部が、第１および第２コア部分の突出部を中空内部へ摺動させる、態様１０の電力変圧器。
【００４９】
１２．変圧器コア部分は、はんだ接合作業のピックアンドプレイスのために構成された平坦な上面を備えるサイズである、態様１から１１のいずれかの電力変圧器。
【００５０】
本出願で開示される例は、すべての点において例示的であって限定的ではないと考えられるべきである。本発明の範囲は、上記の説明によってではなく添付の請求項によって示される。請求項の同等物の意味および範囲に含まれるすべての変更は、これに包含されるものとする。
【符号の説明】
【００５１】
１００  電力変圧器
１１０  変圧器コア部分
１１２  巻線チャネル
１１５  コア部分
１１７  コア部分の上面
１１８  コア部分の底面
１１９  コア部分の端面
１２０  ボビンベース
１２２  ボビンベースの底面
１３０  ボビンレール
１３５  直角ピン
２００  変圧器コア部分
２０２  第１端部
２０４  第２端部
２０５  上面
２１０  第１端面
２１５  第２端面
２２０  底面
２２５  内部空間
２３０  突出部
３００  ボビンベース
３０２，３０４  端部
３０５  上面
３１０  側面
３１５  バレル開口部
３２０  ピンレール
３２５  ピン
３３０  底面
４００  照明固定具
４０５  管
４１０  ＰＣＢ（プリント回路基板）
６００  電力変圧器
６１０  変圧器コア部分
６１５  コア部分
６１７  半円筒形上面部分
６１９  端面
６３０  ボビンレール
６３５  直線ピン
６５０  平坦上面部分
Ｌ  電力変圧器の最大長
Ｗ  電力変圧器の最大幅
Ｈ１  電力変圧器の最大高
Ｈ２  ピンの高さ
ＬＡ  電力変圧器の最大長
ＬＢ  内部空間の最大長
ＨＡ  変圧器コア部分の最大高
ＨＢ  突出部の最大高
ＷＡ  変圧器コア部分の最大幅
ＷＢ  底面の近傍での内部空間の幅
ＷＣ  突出部の最大幅
ＷＤ  底面の近傍での第１端面の幅
【図１Ａ】
2014502058.tif 000003
【図１Ｂ】
2014502058.tif 000004
【図１Ｃ】
2014502058.tif 000005
【図１Ｄ】
2014502058.tif 000006
【図１Ｅ】
2014502058.tif 000007
【図２Ａ】
2014502058.tif 000008
【図２Ｂ】
2014502058.tif 000009
【図２Ｃ】
2014502058.tif 000010
【図２Ｄ】
2014502058.tif 000011
【図３Ａ】
2014502058.tif 000012
【図３Ｂ】
2014502058.tif 000013
【図３Ｃ】
2014502058.tif 000014
【図３Ｄ】
2014502058.tif 000015
【図４Ａ】
2014502058.tif 000016
【図４Ｂ】
2014502058.tif 000017
【図５Ａ】
2014502058.tif 000018
【図５Ｂ】
2014502058.tif 000019
【図６】
2014502058.tif 000020
【国際調査報告】
2014502058.tif 000021
2014502058.tif 000022
2014502058.tif 000023